Podtech/llm-jp-corpus-v4-ja_patent huggingface dataset:
【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
細胞膜における脂質ラフト、受容体及び／又はカベオラの機能障害の治療及び／又は予防のための医薬組成物を製造するための、又は埋め込まれた外来材料の哺乳動物への改善されたバイオインテグレーションを促進するための、抗分泌性タンパク質、同様の活性を有するその誘導体、相同体及び／又は断片、及び／又は医薬的に活性のあるそれらの塩の使用であって、ここで機能障害が、血管機能障害、心血管機能障害、肺機能障害、糖尿病、糖尿病と関連した合併症、瘢痕組織形成、組織及び／又は器官の修復、過剰な組織の反応性形成、上皮細胞被覆の修復及び／又は再生、細胞及び／又は組織の過形成及び／又は肥大、心筋症、肺障害、並びに腫瘍及びその合併症からなる群より選択される、使用。
【請求項２】
機能障害が、異常な機能、不十分な機能、機能低下及び機能亢進からなる群より選択される、請求項１に記載の使用。
【請求項３】
抗分泌性タンパク質が、次式
Ｘ１−Ｖ−Ｃ−Ｘ２−Ｘ３−Ｋ−Ｘ４−Ｒ−Ｘ５
に従った配列からなり、式中、Ｘ１が、Ｉであり、配列番号６のアミノ酸１〜３５であり、又は欠失しており、Ｘ２が、Ｈ、Ｒ又はＫであり、Ｘ３が、Ｓ又はＬであり、Ｘ４が、Ｔ又はＡであり、Ｘ５が、配列番号６のアミノ酸４３〜４６、４３〜５１、４３〜８０又は４３〜１６３であり、又は欠失している、請求項１〜２の何れか一項に記載の使用。
【請求項４】
医薬組成物が、２つ又はそれ以上の抗分泌性タンパク質を含む、請求項１〜３の何れか一項に記載の使用。
【請求項５】
医薬組成物が、医薬的に許容される添加剤をさらに含む、請求項１〜４の何れか一項に記載の使用。
【請求項６】
医薬組成物が、眼内、鼻腔内、経口、局所、皮下及び／又は全身投与のために製剤化される、請求項１〜５の何れか一項に記載の使用。
【請求項７】
医薬組成物が、スプレー、エアゾールとして、吸入器又は噴霧器で投与するために製剤
化される、請求項１〜６の何れか一項に記載の使用。
【請求項８】
医薬組成物及び／又は医療用食品が、1回の適用あたり及び体重ｋｇあたり及び１日あたり０.１μｇ〜１０ｍｇの用量で、好ましくは１回の適用あたり及び体重ｋｇあたり及び１日あたり１〜１０００μｇで血液に全身投与するために製剤化される、請求項１〜１２の何れか一項に記載の使用。
【請求項９】
投与が、単回用量として又は日毎で複数回の適用としての何れかで実施される、請求項１〜８の何れか一項に記載の使用。
【請求項１０】
細胞膜における脂質ラフト、受容体及び／又はカベオラの機能障害の治療及び／又は予防に使用するための、又は埋め込まれた外来材料の哺乳動物への改善されたバイオインテグレーションを促進するための、抗分泌性タンパク質、同様の活性を有するその誘導体、相同体及び／又は断片、及び／又は医薬的に活性のあるそれらの塩であって、ここで機能障害が、血管機能障害、心血管系機能障害、肺機能障害、糖尿病、糖尿病と関連した合併症、瘢痕組織形成、組織及び／又は器官の修復、過剰な組織の反応性形成、上部細胞被覆の修復及び／又は再生、細胞及び／又は組織の過形成及び／又は肥大、心筋症、肺障害、並びに腫瘍及びその合併症からなる群より選択される、抗分泌性タンパク質、同様の活性を有するその誘導体、相同体及び／又は断片、及び／又は医薬的に活性のあるそれらの塩。
【請求項１１】
機能障害が、異常な機能、不十分な機能、機能低下及び機能亢進からなる群より選択される、請求項９に記載の使用のための、抗分泌性タンパク質、同様の活性を有するその誘導体、相同体及び／又は断片、及び／又は医薬的に活性のあるそれらの塩。
【請求項１２】
請求項９に記載の使用のための、抗分泌性タンパク質、同様の活性を有するその誘導体、相同体及び／又は断片、及び／又は医薬的に活性のあるそれらの塩であって、該抗分泌性タンパク質が、次式
Ｘ１−Ｖ−Ｃ−Ｘ２−Ｘ３−Ｋ−Ｘ４−Ｒ−Ｘ５
に従った配列からなり、式中、Ｘ１が、Ｉであり、配列番号６のアミノ酸１〜３５であり、又は欠失しており、Ｘ２が、Ｈ、Ｒ又はＫであり、Ｘ３が、Ｓ又はＬであり、Ｘ４が、Ｔ又はＡであり、Ｘ５が、配列番号６の４３〜４６、４３〜５１、４３〜８０又は４３〜１６３であり、又は欠失している、抗分泌性タンパク質、同様の活性を有するその誘導体、相同体及び／又は断片、及び／又は医薬的に活性のあるそれらの塩。
【請求項１３】
請求項９又は１０に記載の使用のための、抗分泌性タンパク質、同様の活性を有するその誘導体、相同体及び／又は断片、及び／又は医薬的に活性のあるそれらの塩であって、該抗分泌性タンパク質が、医薬的に許容される添加剤をさらに含む医薬組成物で投与される、抗分泌性タンパク質、同様の活性を有するその誘導体、相同体及び／又は断片、及び／又は医薬的に活性のあるそれらの塩。
【請求項１４】
請求項９〜１１の何れか一項に記載の使用のための、抗分泌性タンパク質、同様の活性を有するその誘導体、相同体及び／又は断片、及び／又は医薬的に活性のあるそれらの塩であって、該抗分泌性タンパク質が、眼内、鼻腔内、経口、局所、皮下及び／又は全身投与のために製剤化される医薬組成物で投与される、抗分泌性タンパク質、同様の活性を有するその誘導体、相同体及び／又は断片、及び／又は医薬的に活性のあるそれらの塩。
【請求項１５】
請求項９〜１２の何れか一項に記載の使用のための、抗分泌性タンパク質、同様の活性を有するその誘導体、相同体及び／又は断片、及び／又は医薬的に活性のあるそれらの塩であって、該抗分泌性タンパク質が、スプレー、エアゾールとして、吸入器又は噴霧器で
投与するために製剤化される、抗分泌性タンパク質、同様の活性を有するその誘導体、相同体及び／又は断片、及び／又は医薬的に活性のあるそれらの塩。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
ヒトのジストニアまたはジストニア関連ジスキネジアの治療、阻害または予防のための活性剤としての使用のための神経カリウムチャンネル開口剤レチガビン（２−アミノ−４−（４−フルオロベンジルアミノ）−１−エトキシカルボニルアミノベンゼン）またはそれらの薬学的に許容される誘導体であって、その際ジストニアまたはジストニア関連ジスキネジアが、原発性ジストニア、発作性ジストニア、薬物誘発性ジストニア／ジスキネジア、遅発性ジストニア、神経弛緩薬誘発性ジストニア、パーキンソン病患者の治療誘発性ジストニア／ジスキネジア、遺伝変性ジストニア、ハンチントン病患者のジストニア、トゥーレット症候群患者のジストニア、下肢静止不能症候群患者のジストニア、ジストニア関連ジスキネジア、発作性ジスキネジア、発作性非運動誘発性ジスキネジア、発作性ジストニア舞踏病、発作性運動誘発性ジスキネジア、発作性運動誘発性舞踏病、労作誘発性ジスキネジア、睡眠薬性発作性ジスキネジア、薬物誘発性ジスキネジアから選択される、神経カリウムチャンネル開口剤レチガビン（２−アミノ−４−（４−フルオロベンジルアミノ）−１−エトキシカルボニルアミノベンゼン）またはそれらの薬理学的に認容性の誘導体。
【請求項２】
前記薬剤が、レチガビンの遊離塩基形態に基づいて算出される１日当たり２００〜１８００ｍｇの１日投与量で投与される、請求項１に記載の薬剤。
【請求項３】
前記薬剤が、投与経路に関して、経口、静脈内、直腸、非経口、経皮および吸入経路から選択される、請求項１に記載の薬剤。
【請求項４】
前記活性剤が、薬学的に許容される塩またはアミドである、請求項１に記載の薬剤。
【請求項５】
他の投薬と組み合わせて使用する、請求項１に記載の薬剤。
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
以下の成分：
殺虫的に有効な量のジノテフラン；
有効な量のピリプロキシフェン；及び
N-メチルピロリドンを含んでなる有効な量の溶媒成分
を組み合わせて調製される液体殺虫剤であって、
前記殺虫剤が4℃未満で28日を超える間、溶液のままであるように調製されている、前記液体殺虫剤。
【請求項２】
前記溶媒成分がさらにN-オクチルピロリドンを含む、請求項1の殺虫剤。
【請求項３】
前記殺虫剤が0.1〜8%のN-オクチルピロリドンを含む、請求項2の殺虫剤。
【請求項４】
前記殺虫剤が5〜40%のジノテフランを含む、請求項1の殺虫剤。
【請求項５】
前記殺虫剤が1〜7%のピリプロキシフェンを含む、請求項1の殺虫剤。
【請求項６】
前記殺虫剤が30〜94%のN-メチルピロリドンを含む、請求項1の殺虫剤。
【請求項７】
前記殺虫剤が5〜30%のジノテフランを含む、請求項2の殺虫剤。
【請求項８】
前記殺虫剤が1〜3%のピリプロキシフェンを含む、請求項7の殺虫剤。
【請求項９】
前記殺虫剤が0.1〜6%のN-オクチルピロリドンを含む、請求項8の殺虫剤。
【請求項１０】
前記殺虫剤が61〜94%のN-メチルピロリドンを含む、請求項9の殺虫剤。
【請求項１１】
前記殺虫剤が20〜40%のジノテフランを含む、請求項2の殺虫剤。
【請求項１２】
前記殺虫剤が1%のピリプロキシフェンを含む、請求項11の殺虫剤。
【請求項１３】
前記殺虫剤が6%のN-オクチルピロリドンを含む、請求項12の殺虫剤。
【請求項１４】
前記殺虫剤が53〜73%のN-メチルピロリドンを含む、請求項13の殺虫剤。
【請求項１５】
前記殺虫剤が30%のジノテフランを含む、請求項2の殺虫剤。
【請求項１６】
前記殺虫剤が1.5〜7%のピリプロキシフェンを含む、請求項15の殺虫剤。
【請求項１７】
前記殺虫剤が6%のN-オクチルピロリドンを含む、請求項16の殺虫剤。
【請求項１８】
前記殺虫剤が57〜63%のN-メチルピロリドンを含む、請求項17の殺虫剤。
【請求項１９】
前記殺虫剤が35%のジノテフランを含む、請求項2の殺虫剤。
【請求項２０】
前記殺虫剤が1.5〜7%のピリプロキシフェンを含む、請求項19の殺虫剤。
【請求項２１】
前記殺虫剤が6%のN-オクチルピロリドンを含む、請求項20の殺虫剤。
【請求項２２】
前記殺虫剤が52〜58%のN-メチルピロリドンを含む、請求項21の殺虫剤。
【請求項２３】
前記殺虫剤が20〜25%のジノテフランを含む、請求項2の殺虫剤。
【請求項２４】
前記殺虫剤が2%のピリプロキシフェンを含む、請求項23の殺虫剤。
【請求項２５】
前記殺虫剤が6%のN-オクチルピロリドンを含む、請求項24の殺虫剤。
【請求項２６】
前記殺虫剤が45〜54%のN-メチルピロリドンを含む、請求項25の殺虫剤。
【請求項２７】
前記殺虫剤が16〜27%の水を含む、請求項25の殺虫剤。
【請求項２８】
前記殺虫剤が35%のジノテフランを含む、請求項2の殺虫剤。
【請求項２９】
前記殺虫剤が5%のピリプロキシフェンを含む、請求項28の殺虫剤。
【請求項３０】
前記殺虫剤が6%のN-オクチルピロリドンを含む、請求項29の殺虫剤。
【請求項３１】
前記殺虫剤が54%のN-メチルピロリドンを含む、請求項30の殺虫剤。
【請求項３２】
前記殺虫剤が18〜26%のジノテフランを含む、請求項2の殺虫剤。
【請求項３３】
前記殺虫剤が2〜4%のピリプロキシフェンを含む、請求項32の殺虫剤。
【請求項３４】
前記殺虫剤が3〜8%のN-オクチルピロリドンを含む、請求項33の殺虫剤。
【請求項３５】
前記殺虫剤が30〜48%のN-メチルピロリドンを含む、請求項34の殺虫剤。
【請求項３６】
前記殺虫剤が30〜38%のプロピレンカーボネートを含む、請求項35の殺虫剤。
【請求項３７】
前記殺虫剤が22%のジノテフランを含む、請求項2の殺虫剤。
【請求項３８】
前記殺虫剤が3%のピリプロキシフェンを含む、請求項37の殺虫剤。
【請求項３９】
前記殺虫剤が6%のN-オクチルピロリドンを含む、請求項38の殺虫剤。
【請求項４０】
前記殺虫剤が34.74%のN-メチルピロリドンを含む、請求項39の殺虫剤。
【請求項４１】
前記殺虫剤が34%のプロピレンカーボネートを含む、請求項40の殺虫剤。
【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
インスリン抵抗を治療するための医薬組成物であって、式(I)を有する化合物又はその医薬として許容し得る塩を含む、前記医薬組成物：
【化１】
2009535346.tif 000001
(式中、
R1は、置換又は非置換のC1〜6アルキル、置換又は非置換のアリール、置換又は非置換のC3〜10シクロアルキル、置換又は非置換のC3〜10複素環、或いは置換又は非置換のC3〜10ヘテロアリールであり;
R2は、H、置換又は非置換のC1〜6アルキル、置換又は非置換のアリール、置換又は非置換のC3〜10シクロアルキル、置換又は非置換のC3〜10複素環、或いは置換又は非置換のC3〜10ヘテロアリールであり;
R3は、1つ以上のハロゲンで置換されたアリール、又は1つ以上のハロゲンで置換されたC3〜10ヘテロアリールであり、アリール基又はC3〜10ヘテロアリール基は、1つ以上のC1〜6アルキル基、ヒドロキシル基、ヒドロキシアルキル基、アルコキシ基、アルコキシアルキル基、アミノ基、アルキルアミノ基、カルボキシ基、アミノカルボニル基、シアノ基、アシルアミノ基、アルカンスルホニルアミノ基、テトラゾリル基、トリアゾリル基又はイミダゾリル基で任意にさらに置換されている)。
【請求項２】
糖尿病を治療するための医薬組成物であって、式(I)を有する化合物又はその医薬として許容し得る塩を含む、前記医薬組成物：
【化２】
2009535346.tif 000002
(式中、
R1は、置換又は非置換のC1〜6アルキル、置換又は非置換のアリール、置換又は非置換のC3〜10シクロアルキル、置換又は非置換のC3〜10複素環、或いは置換又は非置換のC3〜10ヘテロアリールであり;
R2は、H、置換又は非置換のC1〜6アルキル、置換又は非置換のアリール、置換又は非置換のC3〜10シクロアルキル、置換又は非置換のC3〜10複素環、或いは置換又は非置換のC3〜10ヘテロアリールであり;
R3は、1つ以上のハロゲンで置換されたアリール、又は1つ以上のハロゲンで置換されたC3〜10ヘテロアリールであり、アリール基又はC3〜10ヘテロアリール基は、1つ以上のC1〜6アルキル基、ヒドロキシル基、ヒドロキシアルキル基、アルコキシ基、アルコキシアルキル基、アミノ基、アルキルアミノ基、カルボキシ基、アミノカルボニル基、シアノ基、アシルアミノ基、アルカンスルホニルアミノ基、テトラゾリル基、トリアゾリル基又はイミダゾリル基で任意にさらに置換されている)。
【請求項３】
糖尿病が、II型糖尿病、I型糖尿病、遅延発症I型糖尿病、尿崩症、真性糖尿病、妊娠糖尿病、成人発症型糖尿病、若年性糖尿病、インスリン依存性糖尿病、非インスリン依存性糖尿病、栄養不良関連糖尿病、ケトン症糖尿病、糖尿病前症、嚢胞性線維症関連糖尿病又はケトン症抵抗性糖尿病である、請求項2記載の医薬組成物。
【請求項４】
特発性肺線維症、骨髄線維症、肝線維症、脂肪性線維症又は脂肪性肝炎を治療するための医薬組成物であって、式(I)を有する化合物又はその医薬として許容し得る塩を含む、前記医薬組成物：
【化３】
2009535346.tif 000003
(式中、
R1は、置換又は非置換のC1〜6アルキル、置換又は非置換のアリール、置換又は非置換のC3〜10シクロアルキル、置換又は非置換のC3〜10複素環、或いは置換又は非置換のC3〜10ヘテロアリールであり;
R2は、H、置換又は非置換のC1〜6アルキル、置換又は非置換のアリール、置換又は非置換のC3〜10シクロアルキル、置換又は非置換のC3〜10複素環、或いは置換又は非置換のC3〜10ヘテロアリールであり;
R3は、1つ以上のハロゲンで置換されたアリール、又は1つ以上のハロゲンで置換されたC3〜10ヘテロアリールであり、アリール基又はC3〜10ヘテロアリール基は、1つ以上のC1〜6アルキル基、ヒドロキシル基、ヒドロキシアルキル基、アルコキシ基、アルコキシアルキル基、アミノ基、アルキルアミノ基、カルボキシ基、アミノカルボニル基、シアノ基、アシルアミノ基、アルカンスルホニルアミノ基、テトラゾリル基、トリアゾリル基又はイミダゾリル基で任意にさらに置換されている)。
【請求項５】
R1が置換又は非置換のC3〜10シクロアルキルである、請求項1、2又は4記載の医薬組成物。
【請求項６】
R1が、1つ以上のC1〜6アルキル基、ヒドロキシル基、ヒドロキシアルキル基、アルコキシ基、アルコキシアルキル基、アミノ基、アルキルアミノ基、カルボキシ基、アミノカルボニル基、シアノ基、アシルアミノ基、アルカンスルホニルアミノ基、テトラゾリル基、トリアゾリル基又はイミダゾリル基で置換されたC3〜10シクロアルキルである、請求項5記載の医薬組成物。
【請求項７】
R2が置換又は非置換のC3〜10複素環である、請求項1、2又は4記載の医薬組成物。
【請求項８】
R2が、置換又は非置換の3-オキセタニル、3-テトラヒドロフラニル、4-テトラヒドロピラニル、4-ピペリジニル、4-(1-アシル)-ピペリジニル、4-(1-アルカンスルホニル)ピペリジニル、3-ピロリジニル、3-(1-アシル)ピロリジニル、又は3-(1-アルカンスルホニル)ピロリジニルである、請求項7記載の医薬組成物。
【請求項９】
R3がハロゲン置換アリールである、請求項1、2又は4記載の医薬組成物。
【請求項１０】
R3がフルオロ置換アリールである、請求項9記載の医薬組成物。
【請求項１１】
インスリン抵抗、糖尿病、特発性肺線維症、骨髄線維症、肝線維症、脂肪性線維症又は脂肪性肝炎を予防するための医薬組成物であって、式(I)を有する化合物又はその医薬として許容し得る塩を含む、前記医薬組成物：
【化４】
2009535346.tif 000004
(式中、
R1は、置換又は非置換のC1〜6アルキル、置換又は非置換のアリール、置換又は非置換のC3〜10シクロアルキル、置換又は非置換のC3〜10複素環、或いは置換又は非置換のC3〜10ヘテロアリールであり;
R2は、H、置換又は非置換のC1〜6アルキル、置換又は非置換のアリール、置換又は非置換のC3〜10シクロアルキル、置換又は非置換のC3〜10複素環、或いは置換又は非置換のC3〜10ヘテロアリールであり;
R3は、1つ以上のハロゲンで置換されたアリール、又は1つ以上のハロゲンで置換されたC3〜10ヘテロアリールであり、アリール基又はC3〜10ヘテロアリール基は、1つ以上のC1〜6アルキル基、ヒドロキシル基、ヒドロキシアルキル基、アルコキシ基、アルコキシアルキル基、アミノ基、アルキルアミノ基、カルボキシ基、アミノカルボニル基、シアノ基、アシルアミノ基、アルカンスルホニルアミノ基、テトラゾリル基、トリアゾリル基又はイミダゾリル基で任意にさらに置換されている)。
【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
均質に分布した少なくとも１種類の防腐剤を含んでいるシリコーンエラストマーであって、該防腐剤が、０．５〜１５μｍ、好ましくは、１〜１０μｍの平均粒径ｄ５０、及び、０．１〜３０μｍ、好ましくは、０．５〜２０μｍの粒度分布を有している、前記シリコーンエラストマー。
【請求項２】
医療用物品（特に、カテーテル）を製造するための、請求項１に記載のシリコーンエラストマーの使用。
【請求項３】
請求項１に記載のシリコーンエラストマーを含んでいるカテーテル。
【請求項４】
シリコーン−ゴム配合物であって、
（Ａ）  式（Ｉ）で表される少なくとも１種類のポリシロキサン
【化１】
2009535434.tif 000001
［式中、基
Ｒ１及びＲ２は、いずれの場合にも、同一であっても又は異なっていてもよく、そして、それぞれ、Ｃ１−Ｃ１２−アルキル、Ｃ１−Ｃ１２−フルオロアルキル、及び、場合により置換されていてもよいフェニル又はナフチルであり；
Ｒ３及びＲ４は、いずれの場合にも、同一であっても又は異なっていてもよく（明確に各繰り返し単位を包含する）、そして、それぞれ、Ｃ１−Ｃ１２−アルキル、Ｃ１−Ｃ１２−フルオロアルキル、及び、場合により置換されていてもよいフェニル又はナフチル、さらに、−ＯＳｉＲ２Ｒ３Ｒ［ここで、Ｒは、当該ポリマー分子が式ＳｉＯ４／２及び式Ｒ３ＳｉＯ３／２で表される分枝単位を有し得るように、分枝鎖において式（Ｉ）と同様にシロキサン鎖が続いていることを表している］であり；
Ｒ１及びＲ３は、さらに、互いに独立して、Ｃ１−Ｃ１２−アルケニルでもあり（その場合、当該ポリマーは、０．０００２〜３重量％のビニル基を含んでおり、また、当該分子は、少なくとも２つのオレフィン性不飽和多重結合を有している）；
ｘは、２〜１５０００の整数であって、当該ポリマーの粘度が２５℃で０．１Ｐａｓから１０００Ｐａｓまで及ぶように変えられる］；
（Ｉ）  式（ＩＩ）で表される少なくとも１種類のポリヒドロシロキサン
【化２】
2009535434.tif 000002
［式中、置換基
Ｒ２１及びＲ２２は、いずれの場合にも、同一であっても又は異なっていてもよく、そして、それぞれ、Ｃ１−Ｃ１２−アルキル、Ｃ１−Ｃ１２−フルオロアルキル、及び、場合により置換されていてもよいフェニル又はナフチルであり；
Ｒ２３は、いずれの場合にも、明確に各繰り返し単位を包含し、互いに独立して、水素、Ｃ１−Ｃ１２−アルキル、Ｃ１−Ｃ１２−フルオロアルキル、及び、場合により置換されていてもよいフェニル又はナフチル、さらに、−ＯＳｉＲ２３Ｒ２４Ｒ［ここで、Ｒは、当該ポリマー分子が式ＳｉＯ４／２及び式Ｒ２３ＳｉＯ３／２（ここで、Ｒ２３は、分子が少なくとも４つの架橋部位を有するように、上記シリルジオキシル単位のうちの少なくとも４つにおいては、水素である）で表される分枝単位を有し得るように、分枝鎖において式（ＩＩ）と同様にシロキサン鎖が続いていることを表している］であり；
Ｒ２４は、いずれの場合にも、明確に各繰り返し単位を包含し、互いに独立して、Ｃ１−Ｃ１２−アルキル、Ｃ１−Ｃ１２−フルオロアルキル、及び、場合により置換されていてもよいフェニル又はナフチル、さらに、−ＯＳｉＲ２３Ｒ２４Ｒ［ここで、Ｒは、当該ポリマー分子が式ＳｉＯ４／２及び式Ｒ２３ＳｉＯ３／２で表される分枝単位を有し得るように、分枝鎖において式（ＩＩ）と同様にシロキサン鎖が続いていることを表している］であり；
ｘは、４〜１００００の整数であって、当該ポリマーの粘度が２５℃で０．０００５Ｐａｓから０．１Ｐａｓまで及ぶように変えられる］；
（Ｊ）  白金族元素を含んでいる少なくとも１種類の触媒；
（ここで、１００重量部の成分（Ａ）に基づいて、最大で３重量部の金属化合物、例えば、Ｆｅ、Ａｌ、Ｚｎ、Ｔｉ、Ｚｒ、Ｃｅ又は別のランタノイド系の、酸化物及び／又は炭酸塩、さらに、塩及び錯体化合物が存在している）
（Ｋ）  少なくとも１種類の懸濁液（ここで、懸濁媒は、式（Ｉ）表されるポリシロキサン及び／又は式（ＩＩ）で表されるポリシロキサン及び／又は非官能性シロキサン（Ｇ）である）；
を含み、さらに、少なくとも１種類の防腐剤、特に、クロルヘキシジン、オクテニジン、ＰＨＭＢ、クオーツ（ｑｕａｔｓ）、タウロリジン及びトリクロサンからなる群から選択される防腐剤を含んでいる、前記シリコーン−ゴム配合物。
【請求項５】
請求項１に記載のシリコーンエラストマーを調製する方法であって、請求項４に記載のシリコーン−ゴム配合物を供給すること、及び、そのシリコーン−ゴム配合物を重合させることを含む、前記方法。
【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
二価又はより高い価数の金属の金属アルキル化合物と、金属アルキル化合物の金属原子と担体の表面との間に化学結合を形成することのできる官能基をその表面上に有する微粉砕担体を反応させることによって得られる粉末状固体であって、
微粉砕担体の粒子が１０００ｎｍ未満の粒径を有し、金属アルキル化合物の５重量％未満が、５０℃において固体１ｇあたり２０ｍＬのヘプタンを用いる粉末状固体の単抽出で抽出することができ、
粉末状固体中の金属アルキル化合物に由来する金属の含量が０．５〜２０重量％である、
上記粉末状固体。
【請求項２】
担体として焼成シリカを用いる、請求項１に記載の粉末状固体。
【請求項３】
まず担体を３重量％未満の含水量に乾燥し、次にこのようにして予め処理した担体を、脂肪族又は芳香族溶媒中において金属アルキル化合物と接触させ、濾過によって懸濁媒体を分離除去し、次に脂肪族又は芳香族溶媒で固体を少なくとも１回洗浄することを含む、請求項１に記載の粉末状固体の製造方法。
【請求項４】
担体を、水と共沸混合物を形成するが金属アルキル化合物と反応しない溶媒を用いる共沸蒸留によって乾燥する、請求項３に記載の方法。
【請求項５】
遷移金属を含む少なくとも１種類の化合物、及び請求項１に記載の少なくとも１種類の粉末状固体を含む、オレフィン重合用の触媒組成物。
【請求項６】
遷移金属を含む化合物が、フィリップス触媒、チーグラー・ナッタ触媒、又は非担持又は担持のシングルサイト触媒系の重合活性成分として作用する遷移金属化合物を含む、請求項５に記載の触媒組成物。
【請求項７】
重合活性成分が、一般式（Ｉ）：
【化１】
2009535435.tif 000001
（式中、
Ｒ１、Ｒ１’は、同一か又は異なり、それぞれ、１〜４０個の炭素原子を有する有機基であり；
Ｒ２、Ｒ２’は、同一か又は異なり、それぞれ、水素、又は１〜４０個の炭素原子を有する有機基であり；
Ｔ、Ｔ’は、同一か又は異なり、それぞれ、１〜４０個の炭素原子を有し、シクロペンタジエニル環と一緒に、５〜１２原子の環寸法を有する飽和又は不飽和で置換又は非置換の少なくとも１つの更なる環系を形成する二価の有機基であり、Ｔ及びＴ’は、シクロペンタジエニル環に縮合している環系内において、Ｓｉ、Ｇｅ、Ｎ、Ｐ、Ａｓ、Ｓｂ、Ｏ、Ｓ、Ｓｅ、又はＴｅのヘテロ原子を含んでいてもよく；
Ｚは、二価の原子又は二価の基から構成される２つの置換シクロペンタジエニルリガンドの間の橋架基であり；
Ｍは、元素周期律表の第３、４、５、又は６族、或いはランタニド族の元素であり；
基Ｘは、同一か又は異なり、それぞれ、有機又は無機基であり、２つの基Ｘは、また互いに結合していてもよく；及び
ｎは、０、１、２、又は３である）
のメタロセン化合物を含む、請求項６に記載の触媒組成物。
【請求項８】
請求項５に記載の触媒組成物を用いて、−６０〜３００℃の範囲の温度及び０．０５〜３００ＭＰａの範囲の圧力において行う、オレフィンを重合することを含む、方法。
【請求項９】
重合を懸濁重合として行う、請求項８に記載の方法。
【請求項１０】
懸濁重合が、懸濁媒体として液体プロピレンを用いる重合である、請求項９に記載の方法。
【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
（ａ）清浄化組成物を収容する容器、および
（ｂ）そこを通って延びる、瓶浸漬管を受け取るための開口を含む基材上で提供され、清浄化組成物濃縮物を基準にして少なくとも約１重量％の活性体含量を有する洗浄化組成物濃縮物を含むパッケージされた清浄化組成物濃縮物であって、
該清浄化組成物濃縮物が、
（ｉ）界面活性剤成分、
（ii）分散剤成分、および
（iii ）シーティング剤又は保湿剤の少なくとも１つ
を含むパッケージされた清浄化組成物濃縮物。
【請求項２】
前記基材が、水溶性又は水分散性膜を含む請求項１に記載のパッケージされた清浄化組成物濃縮物。
【請求項３】
前記水溶性ポリマー又は水分散性ポリマーが、ポリビニルアルコール、セルロースエーテル、ポリエチレンオキシド、でんぷん、ポリビニルピロリドン、ポリアクリルアミド、ポリビニルメチルエーテル−無水マレイン酸、ポリ無水マレイン酸、スチレン無水マレイン酸、ヒドロキシエチルセルロース、メチルセルロース、ポリエチレングリコール、カルボキシメチルセルロース、ポリアクリル酸塩、アルギン酸塩、アクリルアミドコポリマー、グアーガム、カゼイン、エチレン−無水マレイン酸樹脂系列、ポリエチレンイミン、エチルヒドロエチルセルロース、エチルメチルセルロース又はヒドロキシエチルメチルセルロースの少なくとも１つを含む請求項２に記載のパッケージされた清浄化組成物濃縮物。
【請求項４】
（ａ）清浄化組成物を収容する容器、および
（ｂ）ボトルの首に取り付けられるように構成された複数の貯蔵カートリッジの形態で提供され、清浄化組成物濃縮物を基準にして少なくとも約１重量％の活性体含量を有する洗浄化組成物濃縮物を含むパッケージされた清浄化組成物濃縮物であって、
該清浄化組成物濃縮物が、
（ｉ）界面活性剤成分、
（ii）分散剤成分、および
（iii ）シーティング剤又は保湿剤の少なくとも１つ
を含むパッケージされた清浄化組成物濃縮物。
【請求項５】
前記界面活性剤成分が、アルキルアリールスルホン酸塩、２級アルカンスルホン酸塩、アルキルメチルエステルスルホン酸塩、α−オレフィンスルホン酸塩、アルキルエーテル硫酸塩、アルキル硫酸塩、アルコール硫酸塩、およびそれらの混合物の少なくとも１つを含むアニオン界面活性剤を含む請求項１又は４に記載のパッケージされた清浄化組成物濃縮物。
【請求項６】
前記清浄化組成物濃縮物が、約０．１重量％〜約３０％重量のアニオン界面活性剤成分を含む請求項１又は４に記載のパッケージされた清浄化組成物濃縮物。
【請求項７】
前記清浄化組成物濃縮物がシーティング剤を含み、そして該シーティング剤が非イオン性ブロックコポリマー、アルコールアルコキシレート、アルキルポリグリコシド、両性イオン、およびそれらの混合物の少なくとも１つを含む請求項１又は４に記載のパッケージされた清浄化組成物濃縮物。
【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
水性塗装組成物の製造方法であって、
供給原料を形成する工程であって、
樹脂および硬化剤を前記樹脂および硬化剤の融点またはそれ以上の混合温度で混合して均一な溶融ブレンドを形成する工程と、
前記溶融ブレンドを冷却して固体ブレンドを形成する工程と、
前記固体ブレンドを粉砕して前記供給原料を製造する工程と
を含むプロセスによって供給原料を形成する工程と、
前記供給原料、塩形成剤、少なくとも１種の添加剤、および水を混ぜ合わせる工程と、
前記供給原料、塩形成剤、少なくとも１種の添加剤、および水を混合して水性塗装組成物を形成する工程と
を含む、水性塗装組成物の製造方法。
【請求項２】
前記供給原料、塩形成剤、少なくとも１種の添加剤、および水を混ぜ合わせる前に、前記供給原料をその溶融温度未満で貯蔵して焼結を防ぐことをさらに含む、請求項１に記載の方法。
【請求項３】
塩形成剤がない状態で前記樹脂が実質的に水に不溶である、請求項１に記載の方法。
【請求項４】
前記混合温度が前記樹脂及び硬化剤の熱硬化温度未満である、請求項１に記載の方法。
【請求項５】
物品の塗装方法であって、
請求項１にしたがって水性塗装組成物を製造する工程と、
前記組成物を電着によって前記物品に塗布する工程と
を含む、方法。
【請求項６】
樹脂および硬化剤をブレンドする工程と、
前記硬化剤の熱硬化温度未満の温度で前記樹脂および前記硬化剤を溶融させる工程と、
ブレンドされ溶融された樹脂および硬化剤を固体になるまで冷却して、樹脂と硬化剤との固体ブレンドを形成する工程と、
前記樹脂と硬化剤との固体ブレンドを粉砕して粉末形態または粒状形態にして樹脂と硬化剤との粒状固体を製造する工程と、
前記樹脂と硬化剤との粒状固体を水性媒体に分散させて塗装分散液を形成する工程と、
前記塗装分散液を物品に塗布する工程と
を含む、物品の塗装方法。
【請求項７】
前記分散工程の前に、前記樹脂と硬化剤との粒状固体を塗装製造場所へ輸送する工程をさらに含む、請求項６に記載の方法。
【請求項８】
前記粉砕工程の前に、樹脂と硬化剤との固体ブレンドを塗装製造場所へ輸送する工程をさらに含む、請求項６に記載の方法。
【請求項９】
前記樹脂と硬化剤との粒状固体を水性媒体に分散させる工程が、塩形成剤および少なくとも１種の添加剤を加えることをさらに含む、請求項６に記載の方法。
【請求項１０】
前記塗装分散液を電着によって前記物品に塗布する、請求項６に記載の方法。
【請求項１１】
水分散性の樹脂と硬化剤との固体混合物を用意する工程と、
前記水分散性の樹脂と硬化剤との固体混合物を水中に分散させる工程と
を含み、それによって水性塗装組成物を製造する、水性塗装組成物の製造方法。
【請求項１２】
前記樹脂と硬化剤との固体混合物がイオン性樹脂を含む、請求項１１に記載の方法。
【請求項１３】
前記樹脂と硬化剤との固体混合物が、エポキシ系樹脂と重合可能エチレン性不飽和モノマーから形成される樹脂との群から選択された樹脂を含む、請求項１１に記載の方法。
【請求項１４】
分散工程が少なくとも１種の添加剤を加えることをさらに含む、請求項１１に記載の方法。
【請求項１５】
前記水性塗装組成物が電着可能である、請求項１１に記載の方法。
【請求項１６】
前記の用意する工程が、樹脂と硬化剤との固体混合物を形成する工程と、前記樹脂と硬化剤との固体混合物を塗装完成場所へ運送する工程とを含む、請求項１１に記載の方法。
【請求項１７】
樹脂と硬化剤との固体混合物を形成する工程が、
樹脂および硬化剤を用意する工程と、
前記樹脂および前記硬化剤が溶融する温度で前記樹脂および前記硬化剤を均一になるまでブレンドする工程と、
前記樹脂と硬化剤とのブレンドを固体になるまで冷却する工程と
を含み、それによって前記樹脂と硬化剤との固体混合物を製造する、請求項１６に記載の方法。
【請求項１８】
前記ブレンド工程の温度が前記樹脂及び前記硬化剤の熱硬化温度未満である、請求項１７に記載の方法。
【請求項１９】
前記運送工程の前に、前記の樹脂と硬化剤との固体混合物を粉砕して粉末形態または粒状形態にする工程をさらに含む、請求項１６に記載の方法。
【請求項２０】
前記分散工程の前に、前記樹脂と硬化剤との固体混合物を粉砕して粉末形態または粒状形態にする工程をさらに含む、請求項１６に記載の方法。
【請求項２１】
前記少なくとも１種の添加剤が顔料を含む、請求項１、９、又は１１のいずれか１項に記載の方法。
【請求項２２】
前記少なくとも１種の添加剤がフリーラジカル光開始剤またはイオン光開始剤を含む、請求項１、６、又は１１のいずれか１項に記載の方法。
【請求項２３】
前記樹脂がイオン性である、請求項１又は６に記載の方法。
【請求項２４】
前記樹脂がエポキシ系樹脂と重合可能エチレン性不飽和モノマーから形成される樹脂との群から選択される、請求項１又は６に記載の方法。
【請求項２５】
前記硬化剤が化学線活性硬化剤である、請求項１、６、又は１１のいずれか１項に記載の方法。
【請求項２６】
前記化学線活性硬化剤が紫外線照射または電子ビーム照射によって活性化される、請求項２５に記載の方法。
【請求項２７】
前記硬化剤が熱硬化剤および化学線活性硬化剤を含む、請求項１、６、又は１６のいずれか１項に記載の方法。
【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
糖尿病、インスリン抵抗性、代謝疾患／メタボリック症候群、異脂肪血症、肥満、過体重、神経変性疾患から選択される疾患または状態予防、進行遅延または処置の、または運動持久能力の改善のための、エストロゲン関連受容体ガンマ(ＥＲＲγ)アゴニストを有効成分として含む、医薬。
【請求項２】
神経変性疾患がパーキンソン病、アルツハイマー病またはハンチントン病である、請求項１に記載の医薬。
【請求項３】
処置される疾患が２型糖尿病、代謝疾患／メタボリック症候群、異脂肪血症、パーキンソン病、アルツハイマー病およびハンチントン病から成る群から選択される、請求項１または２に記載の医薬。
【請求項４】
運動持久能力の改善のための、請求項１に記載の医薬。
【請求項５】
障害されたグルコースの代謝(ＩＧＭ)を有する対象の、２型糖尿病の予防または進行遅延のための、請求項１に記載の医薬。
【請求項６】
ＥＲＲγアゴニストがＧＳＫ４７１６またはＧＳＫ９０８９、またはいずれの場合も、薬学的に許容されるその塩から選択される、請求項１から５のいずれかに記載の医薬。
【請求項７】
ＥＲＲγアゴニストの１日経口用量が１０〜５００mgまたは１０〜２００mgである、請求項１から６のいずれかに記載の医薬。
【請求項８】
ＥＲＲγアゴニストが、０.００１〜１０マイクロモルまたは０.００１〜１マイクロモルのＥＣ５０を示す、請求項１から７のいずれかに記載の医薬。
【請求項９】
ＥＲＲγアゴニストが、ＥＲＲγＦＲＥＴアッセイで０.００１〜１０マイクロモルまたは０.００１〜１マイクロモルのＥＣ５０を示す、請求項１から８のいずれかに記載の医薬。
【請求項１０】
さらに１種以上の薬学的に許容される担体を含む、請求項１から９のいずれかに記載の医薬。
【手続補正２】
【補正対象書類名】明細書
【補正対象項目名】００１４
【補正方法】変更
【補正の内容】
【００１４】
ＥＲＲγアゴニストは当分野で既知である。例えば、ＥＲＲγアゴニストは、いずれの場合も例えばZuercher, et al. 2005に一般的におよび具体的に開示されている。
好ましいＥＲＲγアゴニストはＧＳＫ４７１６またはＧＳＫ９０８９である。
【手続補正３】
【補正対象書類名】明細書
【補正対象項目名】００３２
【補正方法】変更
【補正の内容】
【００３２】
１型糖尿病はしばしば小児期に診断され、およびその理由のために若年性糖尿病と呼ばれることもある。早期診断が、心臓疾患、失明、高血圧、神経損傷、および腎臓不全を含む、糖尿病のより重篤な合併症のいくつかを予防するのに重要である。しかしながら、１型糖尿病は若年性の、痩せた個体に、通常３０歳より前に発症する傾向があるが、より高齢の患者にもこの形の糖尿病が存在し得る。このタイプの１型糖尿病は、通常成人の選択的自己免疫性糖尿病(ＬＡＤＡ)と呼ばれる。より一般的な若年性１型糖尿病と同様、ＬＡＤＡは、インスリン産生膵臓β細胞の免疫仲介破壊が原因である。ＬＡＤＡはまた遅延発症型１型糖尿病、成人の後期発症自己免疫性糖尿病、および１型糖尿病としても知られる。若年性１型糖尿病とＬＡＤＡの主要な差異はその診断年齢である  −  一般に３０歳以上。ＬＡＤＡを診断する方法は、例えば特許出願ＷＯ２００５０５４５１２Ａ２に記載されている。それ故に、１型糖尿病は全ての年齢に存在し得て、臨床的顕在化の年齢を決定する因子は未知である。
【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
（a）  ムスカリン薬、エンドセリン受容体拮抗薬、ホスホジエステラーゼ−5阻害薬、血管作用性プロスタグランジン、エンドセリン誘導弛緩因子、血管作用性腸ポリペプチド作動薬、平滑筋弛緩薬、ロイコトリエン阻害薬、および薬理的に活性なそれらの塩、エステル、プロドラッグおよび代謝産物、ならびに任意のそれらの組合せから成る群から選択される血管拡張薬、および；
（b）  血管拡張薬と組み合わされ、それにより眼症状の治療に適した眼内インプラントを形成する、ポリラクチド（PLA）、ポリグリコリド（PGA）、ポリ（ラクチド−コ−グリコリド）（PLGA）、ポリカプロラクトン、ポリ酸無水物、ポリメチルビニルエーテル無水マレイン酸、ポリカーボネート、ポリアクリレート、ポリジオキサノン、ポリヒドロキシアルカノエートおよびキトサンから成る群から選択される生分解性ポリマー
を含んで成る、眼症状の治療用の眼内インプラント。
【請求項２】
インプラントの生体内配置後に、インプラントが、治療有効量の血管拡張薬を約7日から40日の間の期間にわたって放出することができる請求項1に記載のインプラント。
【請求項３】
眼の硝子体に配置される構造である請求項1に記載のインプラント。
【請求項４】
血管拡張薬および生分解性ポリマーの混合物を押出す工程を含んで成り、それによって眼症状の治療に適した硝子体内インプラントを形成し、該インプラントの生体内配置後にインプラントが治療有効量の血管拡張薬を約７から40日の間の期間にわたって放出する、生分解性硝子体内インプラントの製造法。
【請求項５】
生分解性ポリマーが、ポリラクチド、ポリ（ラクチド−コ−グリコリド）およびそれらの組合せから成る群から選択されるポリマーを含んで成る請求項4に記載の方法。
【請求項６】
患者の眼の視力を向上させるかまたは維持するために、患者の眼の視力を向上させるかまたは維持するのに有効な量の治療薬のインプラントからの放出を持続するのに有効な速度で分解する、治療薬として血管拡張薬を含む生分解性眼内インプラント。
【請求項７】
網膜眼症状を治療するのに有効な請求項6に記載の生分解性眼内インプラント。
【請求項８】
眼症状が網膜損傷を含む請求項7に記載の生分解性眼内インプラント。
【請求項９】
生分解性ポリマーおよび該ポリマーと組み合わされた治療有効量の血管作用薬を含んで成る、緑内障の治療用持続放出薬剤送達システム。
【請求項１０】
血管作用性化合物および該血管作用性化合物と組み合わされた担体を含んで成る、視力を向上させる眼内インプラント。
【請求項１１】
血管作用性化合物および該血管作用性化合物と組み合わされた担体を含んで成る、視力低下を予防する眼内インプラント。
【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
以下の式：
【化１】
2009535462.tif 000001
のいずれかから選択される化合物またはその塩であって、各ｎは独立して１０〜２５００である、化合物。
【請求項２】
各ｎが独立して約１０〜約４０である、請求項１に記載の化合物。
【請求項３】
各ｎが独立して、約４０〜約６０である、請求項１に記載の化合物。
【請求項４】
各ｎが独立して、約６０〜約９０である、請求項１に記載の化合物。
【請求項５】
各ｎが独立して、約９０〜約１５０である、請求項１に記載の化合物。
【請求項６】
各ｎが独立して、約１５０〜約２００である、請求項１に記載の化合物。
【請求項７】
各ｎが独立して、約２００〜約２５０である、請求項１に記載の化合物。
【請求項８】
各ｎが独立して、約３００〜約３７５である、請求項１に記載の化合物。
【請求項９】
各ｎが独立して、約４００〜約５００である、請求項１に記載の化合物。
【請求項１０】
各ｎが独立して、約６５０〜約７５０である、請求項１に記載の化合物。
【請求項１１】
各ｎが独立して、５０±１０である、請求項１に記載の化合物。
【請求項１２】
各ｎが独立して、８０±１０である、請求項１に記載の化合物。
【請求項１３】
各ｎが独立して、１１５±１０である、請求項１に記載の化合物。
【請求項１４】
各ｎが独立して、１８０±１０である、請求項１に記載の化合物。
【請求項１５】
各ｎが独立して、２２５±１０である、請求項１に記載の化合物。
【請求項１６】
各ｎが独立して、２２５である、請求項１に記載の化合物。
【請求項１７】
各ｎが独立して、２７０である、請求項１に記載の化合物。
【請求項１８】
前記化合物が、
【化６】
2009535462.tif 000002
である、請求項１に記載の化合物。
【請求項１９】
前記化合物が、
【化５】
2009535462.tif 000003
である、請求項１に記載の化合物。
【請求項２０】
前記化合物が、
【化４】
2009535462.tif 000004
である、請求項１に記載の化合物。
【請求項２１】
前記化合物が、
【化２】
2009535462.tif 000005
である、請求項１に記載の化合物。
【請求項２２】
前記化合物が、
【化３】
2009535462.tif 000006
である、請求項１に記載の化合物。
【手続補正書】
【提出日】平成22年4月16日(2010.4.16)
【手続補正１】
【補正対象書類名】明細書
【補正対象項目名】０００１
【補正方法】変更
【補正の内容】
【０００１】
本発明の主題は、良好な貯蔵性、広い限度内において調節される加工性および急速なスルー硬化性（Ｄｕｒｃｈｈａｅｒｔｕｎｇ）を有し、湿分の作用下に硬化する接着剤およびシーラントである。
【手続補正２】
【補正対象書類名】明細書
【補正対象項目名】００１４
【補正方法】変更
【補正の内容】
【００１４】
このようにして金属触媒、例えばジブチル錫ジラウレートなどは、良好なスルー硬化性をも伴う、イソシアネート基を含有するプレポリマーでの水反応の著しい促進を示すが、貯蔵性にも同程度に悪影響を及ぼす。改良は、実際には、トシルイソシアネートの添加による該触媒の「ブロッキング」によって欧州特許出願公開第０１３２６７５号において達成されているが、ほんの微量の湿分は該ブロッキングを取り消すのに十分であり、このため、全体的に改良が生じるが未だ不十分である。
【手続補正３】
【補正対象書類名】明細書
【補正対象項目名】００２０
【補正方法】変更
【補正の内容】
【００２０】
従って、加工時間の良好な制御で、系の貯蔵性をほんのわずかな程度しか損なわず、同時に急速なスルー硬化を可能とする触媒が求められている。
【手続補正４】
【補正対象書類名】明細書
【補正対象項目名】００２２
【補正方法】変更
【補正の内容】
【００２２】
驚くべきことに、ビス（ジメチルアミノエチル）エーテルは、脂肪族ポリイソシアネートに基づくイソシアネート基末端プレポリマーの熱安定性に対する非常にわずかな影響を伴って、加工時間とスルー硬化時間とのバランスのよい比率を触媒として示す。該触媒は、新規のものではなく、特にフォーム反応を促進させる場合に良好な触媒として文献に記載されている（発泡触媒）。ＣＡＳＥ（コーティング、接着剤、シーラント、エラストマー）区分における使用は、企業の印刷物において最適でないとされている（Ａｉｒ  Ｐｒｏｄｕｃｔｓ−ポリウレタン添加剤におけるＤＡＢＣＯ  ＢＬ−１１（ビス（ジメチルアミノエチル）エーテル７０重量％とジプロピレングリコール３０重量％の混合物）、Ｅｕｒｏｐｅａｎ  Ｐｒｏｄｕｃｔ  Ｒｅｆｅｒｅｎｃｅ  Ｇｕｉｄｅ−推奨用途、ＧＩ−０３／９６−２０００  Ｇ／ＵＫ−ＬＢ１６０９、さらにはポリウレタン産業用のＪＥＦＦＣＡＴ触媒、Ｈｕｎｔｓｍａｎ、２０００におけるＪＥＦＦＣＡＴ  ＺＦ  ２０（１００％品）またはＪＥＦＦＣＡＴ  ＺＴ  ２２（７０％ジプロピレングリコール溶液）の記載を参照されたい）。脂肪族ポリイソシアネートに関連して、その効率性は表示されていない。
【手続補正５】
【補正対象書類名】明細書
【補正対象項目名】００４１
【補正方法】変更
【補正の内容】
【００４１】
このような系の異なった硬化層を評価する良好な方法は、例えば、市販されている装置、例えばコーティング、接着剤およびシーラント産業において広範に用いられているＤｒｙｉｎｇ  Ｒｅｃｏｒｄｅｒ  ＢＫ  １０（Ｔｈｅ  Ｍｉｃｋｌｅ  Ｌａｂｏｒａｔｏｒｙ  Ｅｎｇｉｎｅｅｒｉｎｇ  Ｃｏ．  Ｌｔｄ）などを用いて可能である。必要に応じて加重を掛けた針を一定の速度でプレポリマーの薄いフィルムへ通過させて、支持体（例えばガラス板）上で評価する。定義に従って、用語「加工時間」および「スルー硬化時間」で示される３つの相が観測される。
【手続補正６】
【補正対象書類名】明細書
【補正対象項目名】００４３
【補正方法】変更
【補正の内容】
【００４３】
次いで、針が通過跡を残す、（経過した時間に相当する）適性に長い部分が続く。フィルムが十分にスルー硬化すると、針はもはやポリマーフィルムを貫通することができず、針はポリマーフィルム上に通過跡を残さずに通過するが、これは測定用語スルー硬化時間に表されていることである。測定用語においては、この状態の始まりは、当然ながら接着剤の一般的な組成物に加えて、針に掛けられる重さと関連しているため、該ポリマーが最終特性に達する時間と同義でないことがある。しかしながら、該時間は、例えば「手曲げ強度」、「折り畳み強度」の達成のような用語と非常によく関連している。
【手続補正７】
【補正対象書類名】明細書
【補正対象項目名】００４４
【補正方法】変更
【補正の内容】
【００４４】
実施者は、加工時間の終了とスルー硬化時間の到達との間の時間ができるだけ短いことを望んでいる。
【手続補正８】
【補正対象書類名】明細書
【補正対象項目名】００５５
【補正方法】変更
【補正の内容】
【００５５】
実施例３
乾燥記録計上での実験（試験説明）
ドクター刃（２５０μｍ）を用いて、予め酢酸エチルで清浄にしたガラス板にフィルムを塗布し、乾燥記録計に直ちに設置した。針に１０ｇでの荷重を掛け、３６０分間にわたり３５ｃｍ部分にわたって移動させた。
【手続補正９】
【補正対象書類名】明細書
【補正対象項目名】００５８
【補正方法】変更
【補正の内容】
【００５８】
針の不変の通過跡がフィルムから消失する時間でスルー硬化時間を得た。
【手続補正１０】
【補正対象書類名】明細書
【補正対象項目名】００５９
【補正方法】変更
【補正の内容】
【００５９】
【表１】
2009535465.tif 000001
【手続補正１１】
【補正対象書類名】明細書
【補正対象項目名】００７４
【補正方法】変更
【補正の内容】
【００７４】
針の不変の通過跡がフィルムから消失する時間でスルー硬化時間を得た。
【手続補正１２】
【補正対象書類名】明細書
【補正対象項目名】００７５
【補正方法】変更
【補正の内容】
【００７５】
【表４】
2009535465.tif 000002
【手続補正１３】
【補正対象書類名】明細書
【補正対象項目名】００８９
【補正方法】変更
【補正の内容】
【００８９】
硬化特性を「折り畳み試験」によって決定した。このため、厚さ０．１ｍｍのプレポリマーフィルムをガラス板にナイフ塗布し、固化プレポリマーを１８０度に折り畳むことによって特定の時間後（２３℃および相対大気湿度５０で）折り畳み試験に曝した。大部分反応したポリマーだけが試験を通過した。未反応ポリマーは、十分に高い分子量が形成されていないので破壊された。
【手続補正書】
【提出日】平成22年4月13日(2010.4.13)
【手続補正１】
【補正対象書類名】特許請求の範囲
【補正対象項目名】全文
【補正方法】変更
【補正の内容】
【特許請求の範囲】
【請求項１】
アニオン性親水化ポリウレタン水性分散体（Ｉ）、およびカチオン性親水化ポリウレタンポリ尿素分散体を含んでなるカチオン性凝固剤（ＩＩ）を含有する組成物を発泡させ、乾燥させることを含む、微孔性被膜の製造方法。
【請求項２】
Ａ）イソシアネート官能性プレポリマーを、
Ａ１）有機ポリイソシアネート、
Ａ２）４００〜８０００ｇ／ｍｏｌの範囲に数平均分子量および１．５〜６の範囲にＯＨ官能価を有するポリマーポリオール、
Ａ３）任意に、６２〜４００ｇ／ｍｏｌの範囲に分子量を有するヒドロキシル官能性化合物、および
Ａ４）任意に、イソシアネート反応性の、アニオン性または潜在的アニオン性親水化剤および場合により非イオン性親水化剤
から調製し、
Ｂ）次いで、その遊離ＮＣＯ基を、完全にまたは部分的に、
Ｂ１）３２〜４００ｇ／ｍｏｌの範囲に分子量を有するアミノ官能性化合物、および
Ｂ２）アミノ官能性の、アニオン性または潜在的アニオン性の親水化剤
と、連鎖延長しつつ反応させ、
工程Ｂ）の前、間または後に、プレポリマーを水に分散し、存在する潜在的イオン基を、中和剤との部分的または完全反応によってイオン状態に転化する
ことによって得られる、アニオン性親水化ポリウレタン水性分散体（Ｉ）を用いて実施することを特徴とする、請求項１に記載の方法。
【請求項３】
該組成物が、ポリウレタン分散体（Ｉ）およびカチオン性凝固剤（ＩＩ）に加え、助剤および添加剤（ＩＩＩ）として、発泡剤および気泡安定剤である、水溶性脂肪酸アミド、スルホスクシンアミド、ヒドロカルビルスルホネート、ヒドロカルビルスルフェート、または脂肪酸塩を含有することを特徴とする、請求項１または２に記載の方法。
【請求項４】
アニオン性親水化ポリウレタン水性分散体（Ｉ）、およびカチオン性親水化ポリウレタンポリ尿素分散体を含んでなるカチオン性凝固剤（ＩＩ）を含有する組成物。
【請求項５】
請求項１〜３のいずれかに記載の方法によって得られる微孔性被膜で被覆された基材。
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
（ａ）０．５から８５重量％のクレンジング用界面活性剤；
（ｂ）０．１から１０重量％の光学的修飾有益剤；
（ｃ）構造：
（−Ａ−）ｉ（−Ｂ−）ｊ（−Ｃ−）ｋ
［式中、コモノマーＡは、ｐＨ４から１０で測定したとき１つまたは複数のカチオン電荷を有するカチオン反復単位であり；
コモノマーＢは、コモノマー骨格の一部であるおよび／または等価アルカン炭素数（ＥＡＣＮ）が４≧であるように前記骨格に結合しているペンダント基である少なくとも１つの疎水性部分（この疎水性部分は、３から２０個のＣ１−Ｃ３アルキレン基および１から３個のＣ１−Ｃ３アルキル基を含むと定義される。）を含む水不溶性反復単位であり；
コモノマーＣは、ポリマー全体の溶解性を修飾するために選択された反復単位であり；
ｉ、ｊおよびｋは、それぞれのモノマーがポリマー鎖において繰り返される回数を表し、ただし、ｊ／ｉ比は０．０１から０．４であり、ｋ／ｉ比は０．０から０．５であり；
コモノマーＡのカチオン電荷密度は、≧３ｍｅｑ／ｇでありおよび／または全体のポリマーの電荷密度は≧２である。］を有する０．０１から６重量％のポリマー
を含むパーソナル洗浄組成物。
【請求項２】
ポリマーのコモノマーＢが、≧８の等価アルカリ数（ＥＡＣＮ）を有するように選択された、請求項１に記載のパーソナル洗浄組成物。
【請求項３】
コモノマーＣが、得られたポリマーの水溶解性を高めるために使用される、請求項１に記載のパーソナル洗浄組成物。
【請求項４】
指数ｉ、ｊおよびｋの合計が、分子量が１０，０００から２，０００，０００の範囲であるポリマーに対応する、請求項１に記載のパーソナル洗浄組成物。
【請求項５】
ポリマーのコモノマーＡの性質およびｉプラスｊプラスｋの合計に対する指数ｉの比率が、ポリマーのグラムあたり電荷の少なくとも２．５ミリ当量のポリマーカチオン電荷密度に相当する、請求項１に記載のパーソナル洗浄組成物。
【請求項６】
ポリマーのコモノマーＢの性質およびｉプラスｊプラスｋの合計に対する指数ｊの比率が、０．１％を超える水溶性を保持するポリマーに相当する、請求項１に記載のパーソナル洗浄組成物。
【請求項７】
ポリマーのコモノマーＣが、アミン官能基を含むように選択された、請求項１に記載のパーソナル洗浄組成物。
【請求項８】
有益剤が固体粒子物質である、請求項１に記載の組成物。